(57)【要約】ガスの存在無しで、それらの容器から液体及びクリームを、制御可能な正規の且つ連続して流れで、抽出、投薬、調合するシステムはゴム状弾性の風船の靴をはかされた熱可塑性嚢を密封するのに低軟化点の手段を備えた厚肉の中空棒より成っている。
2005523210.tif 000002
【特許請求の範囲】
【請求項１】
圧縮、又は噴霧ガスの存在無しで多数構成要素の装置により、液体、クリーム、チョコレート、ジャム、フルーツスカッシュ及び類似品をそれの容器から、制御可能な、正規の且つ連続した流れで抽出、投薬、調合するシステムにおいて、前記システムが一般に筒、嚢、風船及び瓶から成っていて、前記液体又はクリームの出入口の孔（ＦＯ、ＯＬ）及びゴム状弾性の風船又は小嚢の靴をはかせられた嚢を含む熱可塑性材料製の雌形の端部と密封又ははめ合う熱可封性末端手段を備えた中空厚肉の剛体棒（ＴＵ、ＴＵ’）によって特徴付けられた上記システム。
【請求項２】
前記棒がその頭部に棒を形成している材料の融点より低い軟化点を持っている熱可塑性材料製の環状突起部を持っているカラーを備えていることで特徴付けられる、請求項１に記載のシステム。
【請求項３】
前記棒（ＴＵ、ＴＵ’）が瓶容器内の反転形状の雌の窪みにぴったり合う底部の雄の独楽様端部（ＴＯ）を持つことで特徴付けられる、請求項１に記載のシステム。
【請求項４】
前記棒が、隔壁（ＢＨ）と独楽形の底部末端（ＴＯ）の間の主要盲部分（ＢＬ）を中空棒の内部で規定している、実質的に出入口の孔（ＯＬ）の下に前記隔壁（ＢＨ）を備えていることで特徴付けられる、請求項１に記載のシステム。
【請求項５】
高摩擦材料製のリング（ＭＲ）によりカバーされた小さな円筒（ＣＣ）が棒の前記盲部分（ＢＬ）に可動的に挿入され、それにより（ＣＣ）上の前記高摩擦リングの数回の上下ストロークが嚢内の液体又はクリームの流動性を高めるのに充分な熱を発生すると云うことで特徴付けられる、請求項４に記載のシステム。
【請求項６】
前記熱可塑性嚢（ＳＡＵ）が棒の雄の独楽形の端部（ＴＯ）を収容出来る底部の雌の窪み（ＦＣ）；及びカラー突起部（ＭＲ）の低軟化点材料上にはめ込んで密封する開口（Ｂ）を備えていることで特徴付けられる、請求項１に記載のシステム。
【請求項７】
嚢（ＳＡＵ）が傘様の構造を持つことで特徴付けられる、請求項１に記載のシステム。
【請求項８】
ゴム状弾性風船又は小嚢（ＰＡ’）が棒の底部の雄の独楽形末端（ＴＯ）を収容出来る底部の雌の窪み（ＦＣ’）を持つことで特徴付けられる、上記請求項の少なくとも一つに記載のシステム。
【請求項９】
少なくとも以下の諸ステップ：
Ｉ）栓とキャップの付いた中空の棒を組立てること；
ＩＩ）前記棒の上端と下端で熱可塑性嚢を密封すること；
ＩＩＩ）熱可塑性嚢（ＳＡ）によく靴をはかせてゴム状弾性の風船又は小嚢（ＰＡ）をはめ込むこと；
ＩＶ）栓とキャップを伴っている棒の、熱可塑性嚢のそしてゴム状弾性の風船の組立を瓶の中に挿入すること；及び
Ｖ）嚢を充填すること、
より成っている、上記請求項に記載のシステムの実施例向きの方法。
【請求項１０】
ａ）それの底部に雄の独楽形の末端、
ｂ）それの上部で低い軟化点を持つ材料製のリング突起部を持っているカラー、
ｃ）上部隔壁、
ｄ）高摩擦環状突起部を有している可動円筒体、
を持った中空棒を用意すること；
前記低軟化点のリング突起部に傘様の嚢の口を溶接すること及び前記傘の嚢の底部にある雌の窪みに棒の前記雄の末端を溶接又ははめ込むこと；
そうして組立てられた棒−嚢を底部に雌の窪みも備えたゴム状弾性の風船の内部に挿入すること；
棒の頭部に栓とキャップを取付けること；
瓶又は袋箱の内部に棒−嚢−風船−栓−キャップ組立を挿入すること、及び；
調合されるべき液体、クリーム及び類似品で嚢を充填すること、
の諸ステップより成っている、請求項９に記載の方法。
【発明の詳細な説明】
【技術分野】
【０００１】
本発明は、制御可能な正規の且つ連続した流れで、本質的にはそれらの容器からの液状物質を用いた、圧縮や噴霧ガス及び類似物の無い、多数の構成要素の装置による、抽出、投薬、調合用のシステムに関しており、前記システムは一般に：厚い中空の棒；前記液体、クリーム及び調合されるべき類似物が入っている、熱可塑性材料の嚢又は袋；実質的にゴム状弾性材料の風船又は小嚢；及び瓶又は袋箱のような容器より成っている。
【背景技術】
【０００２】
多くの抽出器、ディスペンサー、投薬器及び類似品は一般に液体容器に挿入された栓付きの小さな筒より成っていると知られている：栓のレバー又は圧力ボタンを動かすと、空気が少なくとも一つの孔を備えた筒に入らせられて容器の液体に直接作用する空気圧のもと液体が押出される；その作用を改善するためガスが抽出されるべき液体に結合させられ得るが然しその流れは不規則、不連続で且つ屡々激しい撒き散らしと役に立たない液体の浪費を残す。
【０００３】
この分野は非常に混雑した特許の分野であって、明らかに最も関連した先立った技術は欧州特許第００５８７００号明細書のようであり、その関係する引用で米国特許第３６７２５４３号明細書、第３７３８５３６号明細書、第３７９１５５７号明細書及び第３９０７１６６号明細書は、圧力下の流体媒質を収容且つ調合する装置（１２）に向けられた請求項１の前文で広く認知されており、それは前記媒質で満たされる時折畳みや拡張が可能な柔軟な容器（３６）、前記容器（３６）の外側に位置していて圧力下の流体での充填により拡張する弾性のある筒状部材（３３）、前記弾性手段により与えられる内側への力による加圧された流体の選択的な総量の排出又は放出を予防するバルブ手段（３）より成っている。
【０００４】
前記欧州特許第００５８７００号明細書の請求項１の特徴ある条項は、柔軟な容器（３６）の周りのスリーブ（３４）が弾力のある布製であり前記弾性の筒（３３）がスリーブ（３４）を取囲んでいることを列挙している。確かにこの特許システムは、興味ある特徴を持っているが然しその技術的複雑さがその商業的成功を妨げたように思われる。
【特許文献１】欧州特許第００５８７００号明細書
【特許文献２】米国特許第３６７２５４３号明細書
【特許文献３】米国特許第３７３８５３６号明細書
【特許文献４】米国特許第３７９１５５７号明細書
【特許文献５】米国特許第３９０７１６６号明細書
【特許文献６】米国特許第４４２３８２９号明細書
【発明の開示】
【発明が解決しようとする課題】
【０００５】
扨本発明の目的は、高密度液体及びクリームでさえも、抽出、投薬、調合などができるシステムを提供するにあり、そのシステムは従来の技術の欠陥、特に上述の複雑さを示さない。
【課題を解決するための手段】
【０００６】
本発明のシステムは本質的に：出入口の孔及び頭部と底部の溶接及び／又ははめ合い手段を備えた厚い中空の棒の形の支持体；調合されるべき液体又はクリームを入れる熱可塑性材料の嚢又は袋、前記嚢は前記棒の溶接及び／又ははめ合い手段に相補的に結合するべき手段を備えている；前記袋に結合して作用しているゴム状弾性材料の風船又は小嚢、及び；互いに組立てられた前記棒、嚢、風船、栓及びキャップを収容出来る瓶又は袋箱の形の容器より成っていて、嚢だけが液体又はクリームと接触している。
【０００７】
本発明の主な特性は、ここに組込まれて考察されている付属の請求項に列挙されている。
【発明を実施するための最良の形態】
【０００８】
本発明の種々の特徴と利点は、付図で示された実施例（実例を制限するものではない）の記述からより明らかになるであろう。
【実施例１】
【０００９】
図面ではＴＵは中央の孔ＦＯ（図１、４、５及び６）及び／又は実質的に瓶ＢＯの高さ又は長さと実質的に瓶の直径ＤＢよりも小さな直径ＤＴを有している液体の出入口の孔ＯＬ（残りの図）を持つ重大な棒を示している。ＴＵの頭頂部にはバルブＶＡを開閉するのに作用するレバーＬＥとばねＭ、充填タンク（図示されてない）に嵌合するリングＡＮ、及び瓶ＢＯのコルク栓抜き形螺旋のキャップＴＰを有している通常の栓ＲＵが結合されている。
【００１０】
図１−３の棒ＴＵ、栓ＲＵ及びキャップＴＰより成っている集合体には熱可封性と気密性の両者に良好な特性を示している熱可塑性材料の嚢又は袋ＳＡ（図２）が結合され、それは瓶ＢＯの内部で前記棒ＴＵの上端及び下端に密封される（図４）。この嚢又は袋ＳＡは成る可くなら共押出成型され且つエチレン、プロピレン、ブテン（及び／又は他のポリオレフィン類）、アミド、フタル酸エステル、スチレン及び類似品の重合体及び／又は共重合体の一つ又はそれ以上のフィルム又はシートから成っている単層又は複層材料特に積層より成っている。
【００１１】
本発明の特徴に従ってＴＵは実質的に瓶ＢＯの高さと長さ、入っている物質の容積と密度など、１から３００ｍｍまでのｆ．ｉ．に従った厚さを有していて、ことによったら充填材で強化された、成る可くならエチレン、プロピレンなどの共重合体の熱可塑性材料製の剛体の中空物体であり；前記棒には実質的にはゴム状弾性材料、成る可くなら天然及び／又は合成ゴムの混合物製の風船又は小嚢ＰＡにはめ込まれた（靴をはかせられた）嚢ＳＡを溶接させられる。ＳＡに容れられた液体又はクリームの押出要素である前記風船ＰＡはＳＡに及ぼさねばならない圧力に従って１０から３００ミクロンのｆ．ｉ．の厚さを持ち、そして又再び実質的に抽出されるべき液体又はクリームの容積、密度及び流動性に従う。
【００１２】
図１、２及び３では本システムの構成要素ＴＵ、ＳＡ及びＰＡは別々に即ち分解されて、それらの最も簡単な形で示されているが、これに反し図４ではその上端ＥＳと下端ＥＴで密封された熱可塑性嚢ＳＡを有している棒ＴＵが示され、前記棒は予め栓ＲＵとキャップＴＰが備えられていた。
【００１３】
構成要素（風船）ＰＡは前記棒ＴＵに密封された袋ＳＡの下端ＥＩの下で切離して示されている。続く図５では棒ＴＵの前記端部ＥＳとＥＩに密封されたその折り返しで、袋ＳＡに靴をはかせた前記ゴム状弾性の風船ＰＡを側面図で見ることが出来る。
【００１４】
図５の下の部分には図６で示されるようにキャップＴＰにねじ止めされるであろう頭部のねじ山部分の瓶ＢＯが部分的に示されている；今やＰＡと瓶ＢＯの内部の嚢ＳＡは前記液体又はクリームＬＩの撒き散らしや浪費無しで、一様な制御可能な連続流れで調合するべく液体又はクリームにより充填されるであろう。これは今栓ＲＵのレバーＬＥを簡単に作動させることにより達成される。液体ＬＩ（棒ＴＵ又は瓶ＢＯの何れとも接触しないがＳＡの内面とだけは接触している）を入れている嚢ＳＡに作用している風船ＰＡはその内容物の完全利用を具体化している嚢の全排出を可能にする。
【００１５】
図５では完全なシステム、即ち栓ＲＵとキャップＴＰ付きの棒ＴＵ、ＴＵにその端部で密封された前記熱可塑性袋ＳＡ及び同じ袋ＳＡにはめ込まれたゴム状弾性の風船ＰＡは休止状態、即ちどんな膨脹も無しで示されている。逆に図６では膨脹したシステムが袋ＳＡ及びそれによる液体内容物ＬＩに作用している風船ＰＡと共に示されている。
【００１６】
都合好く、成る可くなら棒のそれよりも稍小さな直径を持つ（図３Ｄで示された如く）前記風船ＰＡはその下端ＥＰで閉じられて、その弾性的特性の所為で棒ＴＵの頭部に封じ込め風に押付けられる上端ＥＣで開かれている。
【００１７】
図７では、上記システムを表現する特に簡単で効果的な方法が示される：ステップＩ）では栓ＲＵとキャップＴＰが棒ＴＵに結合させられる、この結合体ＴＵ＋ＲＵ＋ＴＰは参照符号ＡＺとして指示されている部分組立を形成している；ステップＩＩ）では袋ＳＡが棒ＴＵの端部ＥＳとＥＩに密封される（前記袋がその端部で開いている場合には：その限界で、前記嚢ＳＡは下端で閉鎖出来たから下方の密封は必要としない）；ステップＩＩＩ）では風船ＰＡがその閉じた下端を袋ＳＡの密封した下端に重ねることにより嚢ＳＡに靴をはかせ且つその上端をカラーＴＳの拡張でしっかりと押さえつける；ステップＩＶ）では組立ＴＵ＋ＲＵ＋ＴＰ＋ＳＡ＋ＰＡは瓶ＢＯに挿入されてキャップＴＰがその上でねじ止めされる；そしてステップＶ）では液体、クリーム及び類似品が組立品の嚢中に充填される。このシステムは一般に通常の密度を有している液体及びクリームについては非常に良く機能する、然し密度及び流動性が寧ろ高いか又は時間−温度変動を受ける時には、図１Ａから１Ｅまで、２Ａ、３Ａ、３Ｄ、４Ａ、４Ｂ、５Ａ、５Ｂ、５Ｄ、５Ｅ、５Ｆ、６Ａ、６Ｂ及び７’のＩ−Ｖで示される実施例を適用することが好ましい。この改良された実施例は、システムの構成要素が容易に素早く且つ“オンライン”で密封と組立が出来ることから、工業的観点からも殊に有利である。
【実施例２】
【００１８】
図１Ａから１Ｅまでの中空の棒ＴＵ’は：ａ）中空の棒ＴＵの最下端部分に対応して、円錐部分ＣＵ、喉部ＧＯ及び小さな矛７付きの円環フランジＡＦを有している圧力着脱部品より成っている独楽様物体ＴＯを通して成る可くなら得られるその下端の雄末端部；ｂ）その上部にある出入口の孔ＯＬ；ｃ）縁又はリムＢＯ及び前記ＢＯと孔ＯＬの間で棒を形成している材料の融点よりは低い軟化点を持っているプラスチック材料の特質を示すように形成されたミニ突起部ＭＲのねじ山様の列；及び防水隔壁ＢＨを示している。
【００１９】
この複雑な棒の多くの利点の中で、以下のことは特に強調されるべきである：１）強い（より長くより厚い）中空の棒ＴＵ’が起こり得る屈曲や傾斜を避けながら、全内部システムＴＵ’＋ＲＵ＋ＴＰ＋ＳＡＵ＋ＰＡを常にまっすぐで正しくボルト締めを保つ：２）嚢の取付けが容易に為せる；３）泡立ちや変形無しで正しい充填が可能；４）嚢の上への風船の容易な挿入が可能；５）嚢が充填される時のはためきを避ける。特に低い軟化点の突起部ＭＲは棒ＴＵ’の頭部への嚢ＳＡＵの安全な溶接を可能にする、ＴＵ’の上部の出入口ＯＬは泡立ちの形成を避け又隔壁ＢＨは液体が除去されにくいことから中空棒の主要部分（ＢＨから下の盲部分）への液体の浸透を避けている。
【００２０】
ＴＵ’の雄の円錐形閉栓ＴＯは瓶ＢＯ又は袋箱ＢＢの底部における対応する雌の窪みＦＣの内部とＴＵ’の基部との良好なはめ合い又は座りを可能にする、一方その喉部ＧＯは嚢ＳＡＵ及び風船ＰＡ’の底部の前もって形成された雌の窪みＴＯ’、ＴＯ”のＴＵ’の末端ＴＯとの強い連結を可能にする、前記ＴＯと窪みＴＯ’及びＴＯ”は最適の雄−雌連結の実現のために要求される補完的な形状を有している。
【００２１】
本発明の更なる特徴によれば、それの外側表面に高摩擦材料製の薄い突起部又はリングＲＩＳを備えた円筒体ＣＣより成っている円筒形ヒーターＨが、上部の隔壁ＢＨと下部の円錐形独楽様の雄の閉栓ＴＯにより境界が定められたＴＵ’の盲主要部分ＢＬの中に導入される：ＴＵ’を振ってＨの上下動を起させることにより、熱がＴＵ’の前記盲領域ＢＬの内部表面に発生し、それが前記ＢＬの外側表面にそしてそれにより嚢ＳＡＵ中の液体又はクリームに伝導されることが驚きを以て見出された。換言すれば、ヒーターＨはスクレーパー（油圧制御）リングを備えたモーターピストンの頭部の様に作られておりＴＵ’を振ってＨの上下ストロークを生じさせることにより前記リングＲＩＳの摩擦材料が高密度液体又はクリームの流動性を高めるのに充分な熱を発生する。この簡単な装置によって、本発明に従うシステムはチョコレート、ジャム、蜂蜜、フルーツスカッシュ、混合物等々を投薬するのに効果的に機能出来る。
【００２２】
更に棒ＴＵ’の長さ、直径、厚さ（Ｔｈ）は調合されるべき液体及びクリームの容積、密度、流動性などに従って確立される。
【００２３】
図２Ａ、４Ａ及び４Ｂで示される如く、嚢ＳＡＵは予め形成された熱可塑性樹脂の物体であり、棒ＴＵ’の雄の独楽ＴＯの反転した形を持つ底部の雌の窪みＦＣとその上部に制限された口ＭＯを有しておりその自由端６’は棒ＴＵ’のねじを切った頭部ＭＲの雌部６として作用する。典型的には嚢ＳＡＵは傘（図４Ｂ）の様に形成されそして風船ＰＡへのその挿入を容易にするため、嚢が空で小さくまとまってＴＵ’よりも短い時に図４Ｂで示される上部にあるカールさせる又は丸めるＡＲＲを備えて；又同じ嚢が充填され、拡大する必要がありそしてＴＵ’よりも短くなる時には下の位置ＡＲ’に行く。この補償は図２が瓶の底３２から分離された嚢を示しこれに反して図１ではそれが前記底に密接を示す米国特許第４４２３８２９号明細書では無視されている。
【００２４】
図４Ａでは矢印ＷはＴＵ’の低軟化点の頭部ＭＲへの前記ＳＡＵの口ＭＯの溶接を示している。図２Ａ、４Ａ及び４Ｂは厚い溶接ＴＷを必要とする重い容量と高い密度の液体用の嚢ＳＡＵの場合を示す。
【００２５】
図３Ａは棒ＴＵ’の雄の末端ＴＯに補完的ではあるがＴＯより僅かに小さなサイズの雌の底部閉栓ＦＣ’も備えた風船ＰＡ’を示す。同様に図３Ｄは中空棒ＴＵ’の直径ＤＴＵよりも僅かに小さい風船ＰＡ’の直径ＤＰＡを示す。このことは嚢の完全な排出を得るには特に重要である。
【００２６】
図３Ｂは小型化した嚢ＳＡＵ（予めＴＵ’の頭部と底部に溶接された）の風船ＰＡ’への挿入を示す。
【００２７】
図７の手順に反して、栓ＲＵとキャップＴＰの取付けは風船ＰＡ’への嚢ＳＡＵの取付け後に（図５Ｂの様に）今行われる；これは工業的に効果的な組立操作上利点があるからである。
【００２８】
図５Ｄは複合体Ｚ’＝ＴＵ’＋ＳＡＵ＋ＰＡ’を示している。ＦＣ”は図５Ｂと図５Ｅの瓶ＢＯ又は袋箱ＢＢの底部にある雌の窪みを指示しており瓶ＢＯへのその挿入は斯くして複合体Ｚ”を形成している；図５Ｆは袋箱ＢＢ中のＺ’を示している。図６Ａは充填操作を示している即ち液体ＩＮ（図示されていないタンクから来ている）がバルブＶＡ、栓ＲＵ＋ＴＰ及び孔ＯＬ（今は入口として作用している）１０を通って嚢ＳＡＵに入り同じ嚢を満たす。図６ＢはレバーＬＥへの作用（矢印１３）そして液体ＩＬを今は出口１０’として作用している孔ＯＬを通ってＳＡＵの外に押出すことによる排出を示している。
【００２９】
図７’は図７と対比して工業的に有利な方法を示す、ステップＩ）では底部の独楽形状の雄の末端ＴＯと低軟化点の樹脂製の頭部のカラー突起部ＭＲを備えた中空棒ＴＵ’は、ＴＵ’の頭部の前記低軟化点リングＭＲに溶接される嚢ＳＡＵ（開いた）に挿入されて嚢底の雌部ＦＣに雄部ＴＯを収容させられる；ステップＩＩ）では、風船ＰＡ’が傘形状の嚢ＳＡＵの上に靴をはかせる；ステップＩＩＩ）では栓ＲＵとキャップＴＰがＴＵ’の縁ＢＲの上に取付けられる；ステップＩＶ）ではそうして得られた複合体Ｚ”が瓶ＢＯの中に挿入される；そしてステップＶ）では嚢ＳＡＵは液体で充填される。
【００３０】
予期される如く本発明のシステムはそれがどんな液体、クリーム及びその類似品にそれのどんな容積にも、そして更に、加熱円筒Ｈ（中空棒を簡単に振ることにより）のお陰でもあって、時間及び／又は外部温度特に冬季に又は強い温度振幅をもつ時期や場所に粘稠度の変動を受けることに感じ易いどんな液体又はクリームにも今適用出来るという意味で非常に有効な信頼性と順応性がある。
【００３１】
当然本発明のシステムの利点は、より高くそしてより堅くであってより貴重なのは嚢中のクリームと液体である。
【００３２】
たとえ本発明がもし図面（図解のためであって目的を制限するものではない）に示された実施例に関して記述されたとしても、同じ発明は平均の技術者の届く範囲内にあり又それ故に付属の特許請求の範囲と意図に落ちるすべてのそれらの変更、追加、変形及び類似の可能な余地のあることがなお考慮されるべきである。
【図面の簡単な説明】
【００３３】
【図１】図１Ａ，１Ｂ，１Ｄは本システムの概略正面図であり、図１Ｃ，１Ｅは概略断面図であり、また図１Ｄは部分的に分解した正面図である。
【図２】図２は本システムの概略正面図であり、図２Ａは概略断面図である。
【図３】図３，３Ａは本システムの概略正面図であり、図３Ｄは概略断面図である。
【図４】図４は本システムの概略正面図であり、図４Ａ，４Ｂは概略断面図である。
【図５】図５は概略側面図であり、図５Ａ，５Ｂは部分的に分解した正面図であり、図５Ｄ，５Ｅは本システムの概略正面図であり、図５Ｆは概略断面図である。
【図６】図６は概略断面図であり、図６Ａ及び６Ｂは本システムの概略正面図である。
【図７】図７及び７’は本システムを達成する方法の概略ブロック線図である。
【図１】
2005523210.tif 000003
【図２】
2005523210.tif 000004
【図３】
2005523210.tif 000005
【図４】
2005523210.tif 000006
【図５】
2005523210.tif 000007
【図６】
2005523210.tif 000008
【図７】
2005523210.tif 000009
【図１Ａ】
2005523210.tif 000010
【図１Ｂ】
2005523210.tif 000011
【図１Ｃ】
2005523210.tif 000012
【図１Ｄ】
2005523210.tif 000013
【図１Ｅ】
2005523210.tif 000014
【図２Ａ】
2005523210.tif 000015
【図４Ａ】
2005523210.tif 000016
【図４Ｂ】
2005523210.tif 000017
【図３Ａ】
2005523210.tif 000018
【図３Ｄ】
2005523210.tif 000019
【図５Ａ】
2005523210.tif 000020
【図５Ｂ】
2005523210.tif 000021
【図５Ｄ】
2005523210.tif 000022
【図５Ｅ】
2005523210.tif 000023
【図５Ｆ】
2005523210.tif 000024
2005523210.tif 000025
【国際調査報告】
2005523210.tif 000026
2005523210.tif 000027
2005523210.tif 000028
2005523210.tif 000029